(57)【要約】【課題】至近距離の被写体に対して簡単に撮影する。【解決手段】レンズ４及び被写体枠５を光軸方向に変位自在にし、レンズ保持体６、それを受容する筒状突出部３と、被写体枠と、筒状突出部に嵌装された回動筒７との各間に、カム手段を構成する各係合ピン３ｂ・６ａ・７ｂと光軸方向ガイドスロット３ａ・５ｄ及び湾曲スロット５ｃ・斜め直線溝７ａを設け、レンズ４による結像点に位置させるＣＣＤ１を本体に固定しかつそれに対して常に合焦するように、レンズ及び被写体枠の変位を回動筒の回転角度に応じて相対的に連動させる。単焦点レンズを用いて合焦したままの映像を連続的に変倍しながら撮影（ズーム撮影）することができるため、細かな設定を行うことなく良好な結果を得ることが困難な至近距離の被写体に対する撮影を簡単な操作で実現し得る。【選択図】図２
2005031585.tif 000002
【特許請求の範囲】
【請求項１】
レンズと、前記レンズをその光軸方向に変位自在に受容する本体と、前記光軸方向に変位自在に設けられかつ被写体に当接させるための被写体枠と、前記本体に対して変位自在に設けられた操作部材と、前記操作部材の変位に応じて前記レンズと前記被写体枠とを互いに連動して変位させるべく前記操作部材と前記レンズ及び前記被写体枠との間に設けられたカム手段とを有し、
前記カム手段が、前記レンズによる結像点が常に前記本体側の所定位置に固定されるように、前記所定位置に対する前記レンズ及び前記被写体枠の相対変位を制御するように設けられていることを特徴とする至近観察用装置。
【請求項２】
前記所定位置に対する前記レンズ及び前記被写体枠の相対変位が、前記被写体を等倍に結像させる位置を含む前後の範囲に設定されていることを特徴とする請求項１に記載の至近観察用装置。
【請求項３】
前記被写体枠内に前記被写体を照明するための照明灯が配設されていることを特徴とする請求項１または請求項２に記載の至近観察用装置。
【請求項４】
レンズと、前記レンズをその光軸方向に変位自在に受容する本体と、前記光軸方向に変位自在に設けられかつ被写体に当接させるための被写体枠と、前記本体に対して変位自在に設けられた操作部材と、前記操作部材の変位に応じて前記レンズと前記被写体枠とを互いに連動して変位させるべく前記操作部材と前記レンズ及び前記被写体枠との間に設けられたカム手段とを有し、
前記本体がディジタルカメラまたはフィルムカメラの本体に取り付けられると共に、
前記カム手段が、前記レンズによる結像点が常に前記ディジタルカメラの撮像デバイスまたは前記フィルムカメラのフィルム上になるように、前記撮像デバイスまたは前記フィルムに対する前記レンズ及び前記被写体枠の相対変位を制御するように設けられていることを特徴とする至近撮影装置。
【請求項５】
前記所定位置に対する前記レンズ及び前記被写体枠の相対変位が、前記被写体を等倍に結像させる位置を含む前後の範囲に設定されていることを特徴とする請求項４に記載の至近撮影装置。
【請求項６】
前記被写体枠内に前記被写体を照明するための照明灯が配設されていることを特徴とする請求項４または請求項５に記載の至近撮影装置。
【発明の詳細な説明】
【技術分野】
【０００１】
本発明は、至近観察用装置および至近撮影用装置に関するものである。
【背景技術】
【０００２】
従来、物の微細な部分の検査、微細な商品の確認、製品細部の加工、虫や植物などの細部の観察、細かな部品の組み立てなどにおいて、対象物を拡大して視認可能にするべく、拡大用レンズと撮像デバイス（ＣＣＤなど）とを組み合わせ、撮像デバイスによる受像結果をモニタで拡大して視認可能にした至近観察装置がある。このような至近観察装置において、ある倍率で拡大した状態から倍率を変更したい場合、例えば被写体の一部分を高倍率で拡大したい場合には、先ず特定部分を含む比較的広い部分を低倍率で確認し、拡大したい部分を特定してから高倍率に変えることになる。そのような場合には、ズームレンズ付きのものを使用するか、焦点距離の異なるレンズを交換して調整し直すことが考えられる。しかしながら、ズームレンズ付きのものや、交換レンズを用意するものにあっては、いずれにしてもレンズ部分が高騰化し、装置全体が高価になるという問題がある。また、予めズームレンズが装着されているものでは装置が大型化し、交換レンズを使用するものでは交換作業が煩雑化するため、取り扱い性が悪いという問題がある。
【０００３】
そのような課題を解決して、低倍率から高倍率までの大きな倍率の変更が簡単に可能でありかつ安価に至近距離の被写体を観察可能にする装置として、単焦点レンズを用い、そのレンズを光軸方向に変位可能にし、また撮像デバイスも光軸方向に変位可能にすると共に、レンズの被写体からの距離に応じて変化する合焦位置に撮像デバイスを位置させるようにしたものがある（例えば、特許文献１参照。）。
【０００４】
【特許文献１】特願２００２−１７１７６９号
【発明の開示】
【発明が解決しようとする課題】
【０００５】
上記装置によれば、ズームレンズを用いたりレンズ交換したりする必要がないため、至近至近距離の被写体を観察可能にする装置を低廉化し得る。また、単焦点レンズを用い、その被写体からの距離に応じて変化する合焦位置に撮像デバイスを位置させることから、一度ピントを合わせれば、ピントを合わせ直すことなく自由に倍率を変更することができる。
【０００６】
しかしながら、上記装置ではレンズ及び撮像デバイスを可動支持するスタンドのステージ上に被写体を置いて観察することを前提としており、装置を被写体に近づけて観察したい場合には、ステージに相当する位置に被写体を位置させ、その状態を保持しながらピントを合わせるなど、操作が煩雑化するという問題がある。また、至近距離の被写体の拡大にあっては、モニタによる観察のみならずカメラでの撮影ができることが望ましい。しかしながら、上記装置では撮像デバイスを変位させることから、上記装置をカメラに適用して至近撮影可能な装置とすることができないという問題がある。
【課題を解決するための手段】
【０００７】
このような課題を解決して、至近距離の被写体に対して簡単に観察または撮影することを実現するために本発明に於いては、レンズと、前記レンズをその光軸方向に変位自在に受容する本体と、前記光軸方向に変位自在に設けられかつ被写体に当接させるための被写体枠と、前記本体に対して変位自在に設けられた操作部材と、前記操作部材の変位に応じて前記レンズと前記被写体枠とを互いに連動して変位させるべく前記操作部材と前記レンズ及び前記被写体枠との間に設けられたカム手段とを有し、前記カム手段が、前記レンズによる結像点が常に前記本体側の所定位置に固定されるように、前記所定位置に対する前記レンズ及び前記被写体枠の相対変位を制御するように設けられているもの、または、レンズと、前記レンズをその光軸方向に変位自在に受容する本体と、前記光軸方向に変位自在に設けられかつ被写体に当接させるための被写体枠と、前記本体に対して変位自在に設けられた操作部材と、前記操作部材の変位に応じて前記レンズと前記被写体枠とを互いに連動して変位させるべく前記操作部材と前記レンズ及び前記被写体枠との間に設けられたカム手段とを有し、前記本体がディジタルカメラまたはフィルムカメラの本体に取り付けられると共に、前記カム手段が、前記レンズによる結像点が常に前記ディジタルカメラの撮像デバイスまたは前記フィルムカメラのフィルム上になるように、前記撮像デバイスまたは前記フィルムに対する前記レンズ及び前記被写体枠の相対変位を制御するように設けられているものとした。
【０００８】
特に、前記所定位置に対する前記レンズ及び前記被写体枠の相対変位が、前記被写体を等倍に結像させる位置を含む前後の範囲に設定されていること、また、前記被写体枠内に前記被写体を照明するための照明灯が配設されていると良い。
【発明の効果】
【０００９】
このように本発明によれば、レンズの結像点に撮像デバイスを設置しかつモニタと接続することにより観察可能になり、またカメラに適用することにより撮影可能になると共に、それらにおいて、単焦点レンズを用いて合焦したままの映像を連続的に任意の倍率で観察または撮影することができるため、細かな設定を行うことなく良好な結果を得ることが困難な至近距離の被写体に対する観察や撮影を簡単な操作で実現し得る。被写体と単焦点レンズとレンズ結像点との位置関係を、レンズと被写体枠と操作部材とそれらの間のカム手段とを用いた簡単な構造で、合焦を保持しつつズーム可能にすることができ、至近距離の被写体を任意の倍率で観察や撮影を行うのに適する装置を低廉化し得る。
【００１０】
特に、結像点となる所定位置に対するレンズ及び被写体枠の相対変位を被写体を等倍に結像させる位置を含む前後の範囲に設定することにより、被写体とレンズと結像点の関係において被写体に対する結像の大きさが等倍の近傍でのレンズの変位に対して結像倍率が大きく変化することを利用でき、少ないレンズ移動で大きな倍率変化が得られるため、装置をコンパクト化し得る。また、被写体枠内に照明灯を設けることにより、常に十分な明るさが得られるため照明具合を気にする必要がなく、誰が操作しても常に簡単に美しい観察や撮影結果を得ることができる。また、レンズの結像点が本体に対して所定位置に固定されるため、その所定位置に、ディジタルカメラの場合には撮像デバイスの受光面を位置させ、フィルムカメラの場合にはフィルム面を位置させるように、本体の結像点側部分を各カメラに取り付け可能な構造（例えばねじ結合）にするだけで、カメラを用いた違和感の無い至近撮影装置を提供し得る。
【発明を実施するための最良の形態】
【００１１】
至近距離の被写体を、少ない部品構成かつ簡単な操作で観察や撮影を可能にすると共に、合焦させたままズームを可能にした至近観察用装置および至近撮影装置を実現した。
【実施例１】
【００１２】
図１は、本発明が適用された至近観察器（ビューア）を示す全体斜視図であり、図２はその要部破断側面図である。本図示例の至近観察器は、テレスコピック構造の概略筒状体からなり、図における上部に撮像デバイスとしてのＣＣＤ１を内蔵する本体２と、本体２の一部として図における下方に向けて突出する筒状突出部３内に光軸ＣＬ方向に変位可能に受容された単焦点レンズ４と、筒状突出部３に同軸的に嵌装されかつ光軸ＣＬ方向に変位可能に設けられた被写体枠５とにより概略構成されている。
【００１３】
なお、本発明の至近観察用装置としては、上記本体２内のＣＣＤ１は必須ではなく、結像点における像を視認可能にする撮像デバイスや他の変換手段を用いることができる。なお、図示例の場合には可搬型の至近観察器として構成し、ケーブルを介してモニタ（あるいはテレビジョン）で被写体を観察可能にしたものである。また、カメラに適用する場合には、例えば、ディジタルカメラの場合にはその撮像デバイスを、フィルムカメラの場合にはフィルム面を上記ＣＣＤ１の位置に位置させるように本体２の構造を変えることにより可能である。また、本装置おける構成部材は、材料を特に限定するものではないが、合成樹脂材により形成されているものであって良い。
【００１４】
上記ＣＣＤ１は、本体２の上部に画定されたカメラ室２ａ内に受容されかつカメラ室２ａと筒状突出部３との間の隔壁２ｂにブラケットを介して固定されている。そのＣＣＤ１の受光面が、隔壁２ｂに設けられた開口を介してレンズ４に同軸的に臨むようにされている。なお、ＣＣＤ１の基板には外部のモニタ装置１４との接続用ケーブル１５が接続されている。
【００１５】
単焦点レンズ４を一体的に保持するレンズ支持体６が、上記したようにレンズ４をその光軸ＣＬ方向に変位可能にするべく筒状突出部３内に同軸的に変位自在に設けられている。筒状突出部３の外周には操作部材としての回動筒７が周方向に回動自在に嵌装されている。なお、回動筒７は内周側部材と外周側部材とを同心的に一体的化して形成されている。筒状突出部３の突出端部（図２の下端部）には、回動筒７を抜け止めするべく回動筒７の内周側部材の軸線方向端面が摺接し得る拡径部３ａが設けられている。この拡径部３ａも、別部材からなるが筒状突出部３に一体化されているものであって良い。
【００１６】
上記拡径部３ａ及びそれに連続する内周側部材の一部から形成される円筒部分に、段違い円筒形状をなす透明合成樹脂材製の被写体枠５の小径部５ａが同軸的に嵌装されている。被写体枠５の小径部５ａのレンズ４側とは相反する側に設けられた大径部５ｂの軸線方向開口端面には蓋８が取り付けられている。その蓋８の中央部分にはレンズ４の光軸上に位置する撮影窓８ａが開口している。撮影する場合には被写体枠５の開口端面側を被写体９に当接させて行うが、被写体の撮影窓８ａ内に露出する部分が撮影対象となる。なお、蓋８の被写体９側にあっては、その外周縁と撮影窓８ａの周縁との間が凹設されており、被写体枠５が紙などの被写体９上を摺接する場合にその表面をこすり付けてしまうことが無いようにしている。
【００１７】
また、被写体枠５内には、図示例では筒状突出部３の突出端面に取り付けられた複数の照明灯１０が設けられており、撮影窓８ａ内の被写体を照射することができるため、他の照明設備を必要としない。これにより、特別な照明設備を設ける必要が無く、簡単に観察することができる。なお、被写体枠５が透明合成樹脂材で形成されていることから、被写体枠５の外周壁で被写体の対象部分を覆ってしまっても、その位置を側方から視認することが可能である。
【００１８】
本発明に基づく至近撮影用装置にあっては、上記したように被写体枠５を置いたまま撮影できるものであり、そのために、ＣＣＤ１に対する被写体枠５及びレンズ４の各位置関係が、被写体枠５の突出端開口端面に被写体９が位置した場合に必ずＣＣＤ１の受光面に結像（合焦）するように設定されている。さらに、回動筒７を回すことにより合焦を保持しつつズーム撮影できるようになっている。そのためのＣＣＤ１とレンズ４と被写体枠５との変位の関係を次に示す。
【００１９】
単焦点レンズにおける被写体と結像との位置および結像倍率の関係は、レンズの前側(被写体側)主点からの焦点距離の２倍の距離にある被写体がレンズの後側（結像側）主点からの焦点距離の２倍の位置に被写体と同一の大きさの像を結像するようになっている。レンズの焦点距離をｆとし、レンズの被写体側焦点位置から被写体までの距離をａとし、レンズの結像側焦点位置から結像点までの距離をｂとすると、
ｆ×ｆ＝ａ×ｂ  …（１）
となる。
【００２０】
ここで、ＣＣＤ１を基準位置とすると、レンズ４の位置は（ｆ＋ｂ）となり、被写体位置（被写体枠５の突出端面）は（２ｆ＋ａ＋ｂ）となる。また、結像倍率λは、
λ＝（ｂ＋ｆ）／（ａ＋ｆ）  …（２）
の関係にある。これにより、ａ＝ｂ＝ｆの場合に結像の大きさは被写体と同一（等倍）となり、ｂ＞ｆ（ａ＜ｆ）の場合には被写体に対して結像の大きさが大きくなり、ｂ＜ｆ（ａ＞ｆ）の場合には被写体に対して結像の大きさが小さくなる。また、上記結像倍率λが１．０倍となる位置の前後に被写体が位置した場合にその結像倍率が大きく変化する。
【００２１】
例えばカメラにおける結像位置（ＣＣＤの受光面やフィルム面）からのレンズ及び合焦させる被写体位置と結像倍率との関係は図３に示されるようになる。図３では、Ｙ軸方向に結像位置からのレンズ位置及び被写体位置を示し、Ｘ軸方向に結像倍率を示している。図において、Ｙ軸の−ｆで示した位置がレンズの焦点距離になり、その位置にレンズが位置している場合には無限遠の被写体が撮影対象となる。なお、一般的なカメラでは５００ｍｍ〜無限遠（図の矢印Ｄにより示される範囲）に位置する被写体を撮影対象としている。
【００２２】
それに対して、本発明にあっては、上記図３の一部（矢印Ｅにより示される部分）に対応する部分を拡大して示す図４に示されるように、結像倍率が等倍（１．０倍）の前後に渡る範囲を使用するものである。図４におけるＹ軸にはＣＣＤ１からのレンズ４の位置及び被写体９の位置を示し、Ｘ軸方向に結像倍率を示す。図では約０．４倍から約２．１倍まで倍率を変化させることができるようにした場合を示している。この倍率変化は任意であり、本装置を取り付ける対象に合わせて適宜設計変更して良い。
【００２３】
次に、図４に示される関係を実現するためのカム手段について、カム形状を展開して示す図５（ａ）・（ｂ）・（ｃ）を併せて参照して以下に示す。なお、図５（ａ）・（ｂ）・（ｃ）は、図４に示した各位置Ａ・Ｂ・Ｃに対応している。レンズ支持体６には、筒状突出部３の周壁を貫通して回動筒７の周壁に突入する半径方向外向きの係合ピン６ａが一体に設けられている。筒状突出部３には、係合ピン６ａを光軸ＣＬ方向にガイドする向きの光軸方向ガイドスロット３ａが設けられており、回動筒７には図５（ａ）に示されるように光軸に対して斜めに向けられた斜め直線溝７ａが設けられている。このように、レンズ支持体６の係合ピン６ａが筒状突出部３の光軸方向ガイドスロット３ａと回動筒７の斜め直線溝７ａとの交点に位置するようにされ、回動筒７の回転角度に合わせてレンズ支持体６が光軸ＣＬ方向に変位し得る。
【００２４】
また、被写体枠５の小径部５ａは、回動筒７の内周側部材と外周側部材との間に受容されて光軸方向（軸線方向）に変位可能に設けられている。その小径部５ａには図５（ａ）に示されるように下に凸状をなす湾曲スロット５ｃが設けられており、その湾曲スロット５ｃに、回動筒７の内周側部材に一体に設けられた半径方向外向きの係合ピン７ｂが係合している。また、筒状突出部３の小径部５ａに対応する任意の位置に半径方向外向きの係合ピン３ｂが一体に設けられており、小径部５ａには係合ピン３ｂを光軸ＣＬ方向にガイドする向きの光軸方向ガイドスロット５ｄが設けられている。これらにより、回動筒７の回転角度に合わせて湾曲スロット５ｃの形状に応じて光軸ＣＬ方向に被写体枠５が上下動し得る。このようにしてカム手段が構成されている。
【００２５】
上記カム手段により、ＣＣＤ１・レンズ４・被写体枠５（被写体）のそれぞれが、常に被写体をＣＣＤ１上に合焦させながら変化するように設定されている。被写体枠５を被写体９となる例えば紙面の上に置くと、撮影窓８ａの開口面が被写体の位置となる。ＣＣＤ１に対してレンズ４が最も近く、被写体枠５が最も遠い位置になる図５（ａ）に示される状態では、その場合の結像倍率は上記した約０．４倍である。
【００２６】
上記位置Ａから回動筒７を所定の方向に回していくと、図４の位置Ａから位置Ｂに至る各線で示されるように、回動筒７の回転角度に対して、レンズ４がＣＣＤ１から一定の変化率で遠ざかり、被写体枠５は初めは大きいが徐々に小さくなる変化率でＣＣＤ１に近づいていく。そして、被写体枠５がＣＣＤ１に最も近づいた位置Ｂになる図５（ｂ）に示される状態では、その場合の結像倍率が１．０倍になる。
【００２７】
さらに回動筒７を所定の方向に回していくと、図４の位置Ｂから位置Ｃに至る各線で示されるように、回動筒７の回転角度に対して、レンズ４はＣＣＤ１から一定の変化率で遠ざかり続けるが、被写体枠５は漸増する変化率で今度はＣＣＤ１から遠ざかる。この場合には、レンズ４及び被写体の各位置がＣＣＤ１から遠ざかると共に、レンズ４と被写体とは相対的に近づくように変化し、結像倍率が１．０倍から増大する。そして、レンズ４及び被写体枠５がＣＣＤ１から最も遠ざかった位置Ｃになる図５（ｃ）に示される状態では、その結像倍率が約２．１倍になるようにされている。
【００２８】
このようにして、上記図示例にあっては約０．４倍から約２．１倍に至る結像倍率の変化を得ることができる。この場合は約５倍のズームに相当するが、上記結像倍率の変化の範囲は任意に設定することができ、例えば約１０倍としても良い。上記各位置Ａ〜Ｃに対応するＣＣＤ１（結像点）・レンズ４・被写体９の各位置関係を図６に示す。例えばｆ＝１２．５５の場合には、ｆ＋ａ＝ｆ＋ｂ＝２５．１であるから、等倍（１．０倍）の場合にはＣＣＤ１と被写体９との距離（２ｆ＋ａ＋ｂ）は５０．２ｍｍとなる。ＣＣＤ１・レンズ４間の距離を１８．８３ｍｍとすると、被写体９までの距離（２ｆ＋ａ＋ｂ）は５６．４８ｍｍとなり、この場合には約０．５倍の結像倍率となる。逆に、ＣＣＤ１・レンズ４間の距離を３７．６５ｍｍとすると、被写体９までの距離（２ｆ＋ａ＋ｂ）は上記と同じく５６．４８ｍｍとなり、この場合には約２倍の結像倍率となる。また、ＣＣＤ１の受光面の大きさが４．５ｍｍの場合には、２．２５ｍｍ（２倍）から９ｍｍ（０．５倍）の大きさの被写体が対象となる。この場合の５０．２〜５６．４８ｍｍが対象となる至近距離に対応する。
【００２９】
なお、ｆ＝３０とすると、ｆ＋ａ＝ｆ＋ｂ＝６０であるから、等倍の場合にはＣＣＤ１と被写体９との距離（２ｆ＋ａ＋ｂ）は１２０ｍｍとなり、０．５倍及び２倍の場合の被写体９までの距離（２ｆ＋ａ＋ｂ）は１３５ｍｍとなる。この場合には１２０〜１３５ｍｍが対象となるの至近距離に対応することになる。このように対象とする至近距離の設定は自由であり、最大長を例えば２００ｍｍまたはそれ以上に設定しても良い。
結像位置（フィルムカメラの場合にはフィルム面、ディジタルカメラの場合にはＣＣＤ受光面）を相対的に固定したまま、レンズをその光軸上で変位させると、結像位置に合焦させるためには被写体の位置も変化し、それによって結像する像の大きさも変化する。特に、その結像倍率の変化は、上記したように被写体とその結像位置がレンズ４から等距離（ｆ＋ａ＝ｆ＋ｂ）にある状態（被写体に対する結像の大きさが等倍）の近傍で大きく変化する。これは、至近距離にあっては、レンズの実質的な有効焦点距離が変化することによって起こるためである。
【００３０】
結像倍率の１．０倍の前後を含むようにズーム範囲を設定することにより、上記したように結像倍率１．０倍の前後では少ないレンズ移動で大きな倍率の変化となるため、ズーム機構をコンパクト化し得る。この実質的な焦点距離の変化により、レンズ自体の固有焦点距離が変化するズームレンズを用いた場合と同様な効果を得ることができるため、安価な単焦点レンズを用いながら高価なズームレンズを用いて観察や撮影を行った場合と同一の効果を奏し得る。これにより、ズーム効果のある至近観察装置や至近撮影装置（カメラなど）を安価に提供することができる。
【００３１】
また、本発明にあっては、被写体の結像がＣＣＤ１に常に合焦するようにレンズ４及び被写体枠５を変位させるように設定するものである。その合焦させるための被写体の位置はＣＣＤ１を基準とした場合にレンズ４の位置によって変化するので、その変化に応じて被写体枠５を変位させるものである。これにより、被写体枠５を被写体上に置くだけで、常にその被写体を合焦した状態で観察や撮影を行うことができる。さらに、回動筒７を回すだけで合焦状態を維持したまま結像倍率を変えることができ、簡単にズーム効果を得ることができる。本図示例にあっては、モニタ装置１４の画面を見ながらズームを変更でき、任意の倍率の映像を簡単に観察することができる。また、モニタ装置１４の画面の大きさを含めた拡大率とすることができる。例えばＣＣＤ１の大きさが約５ｍｍでモニタ画面サイズが１４インチであるとすると、結像倍率が等倍の場合には約７０倍の大きさの映像で観察することになり、図示例の０．４倍〜２．１倍では２８倍〜１４７倍の映像を観察することができる。
【００３２】
また、一眼レフカメラの場合には交換レンズとして本装置を用いることができる。フィルムカメラの場合には、フィルムの大きさに対して一般に３倍程度に引き伸ばされてプリントされることから、図示例の０．４倍は１．２倍となり、２．１倍は６．３倍となり、そのように拡大されたプリントが得られる。
【００３３】
本実施例で示したようなズーム効果は至近距離に限られるが、もちろんレンズ位置をさらに移動することにより無限遠までの焦点の合った観察や撮影も可能である。
【００３４】
また、上記したように照明装置（照明灯１０）を設けていることにより、至近距離の被写体に対して一切他の照明を必要とすることがない。照明灯１０の照明により対象となる被写体部分の明るさが概ね一定し、例えばレンズ４の口径による絞りをもって常に適正な露出とすることが可能である。
【実施例２】
【００３５】
本発明の近接撮影用装置にあっては上記したようなモニタに接続する可搬型撮影装置に限られるものでなく、カメラに適用することができる。その場合には、図示例のＣＣＤ１の位置に、ディジタルカメラにおける撮像デバイスが、フィルムカメラにおけるフィルム面が位置するように構成すれば良い。例えば、図７に示されるように上記図示例における本体２のＣＣＤ１側部分にねじ付きボス１１を設け、カメラボディ１２のレンズ取付部にねじ結合し、その結合状態で、上記レンズ４の結像点がディジタルカメラにおける撮像デバイス１３の受光面と一致するように設計する。他の部分は上記図示例のままであって良い。なお、フィルムカメラの場合には撮像デバイス１３の受光面の代わりにフィルムが位置するようにすれば良く、その図示を省略する。
【００３６】
これにより、結像倍率の変化が可能なズーム機能、オートフォーカス機能、自動適正露光機能を有する近接撮影用カメラが成立し得る。その撮影手順としては、上記したように被写体の上に被写体枠５を置き、望む倍率となるように回動筒７を回して、カメラのシャッターボタンを押すだけで良い。例えマクロ撮影可能なカメラを用いても倍率変更に対応して合焦位置を合わせ直すなど、従来ではきわめて難しかった至近撮影のズーム撮影を、本発明の近接撮影用装置を用いるだけで誰でも簡単に行うことができる。
【００３７】
また、一眼レフカメラのファインダーやディジタルカメラのモニタにあっては、構図や倍率を決めるのに有効に利用できる。この場合であっても、ファインダーやモニタにてピントの確認や調整の必要は無いため、取り扱い性が良い。また、ディジタルカメラの場合には、プリントサイズをユーザ自身が自由に設定でき、その拡大倍率によってプリント上での拡大率が異なるが、容易に拡大された像のプリントを得ることができる。
【産業上の利用可能性】
【００３８】
本発明にかかる近接撮影用装置は、常に合焦し、さらに照明灯を設けることにより適正露光となる美しい撮影結果が得られるため、特に、微小な被写体の拡大撮影に対して極めて有効であり、例えば工業、医学、植物、美容（肌など）、警察（指紋など）の各分野に有効に利用することができる。そのような有効な撮影を安価な単焦点レンズを用いて実現可能であり、上記各分野に限られず種々の近接撮影が望まれる分野に安価な撮影装置として適用できる。
【図面の簡単な説明】
【００３９】
【図１】本発明が適用された至近撮影機を示す斜視図である。（実施例１）
【図２】図１の要部破断側面図である。（実施例１）
【図３】一般的なカメラにおける結像位置に対するレンズ及び被写体位置と結像倍率との関係を示す図である。（実施例１）
【図４】本発明に基づくカム手段によるレンズ及び被写体枠の変位と結像倍率との関係を示す説明図である。（実施例１）
【図５（ａ）】最小倍率におけるカム手段の状態を示す説明図である。（実施例１）
【図５（ｂ）】１．０倍におけるカム手段の状態を示す説明図である。（実施例１）
【図５（ｃ）】最大倍率におけるカム手段の状態を示す説明図である。（実施例１）
【図６】結像点・レンズ・被写体の位置関係を示す図である。（実施例１）
【図７】カメラに適用した例を示す図２に対応する図である。（実施例２）
【符号の説明】
【００４０】
１  ＣＣＤ
２  本体
３  筒状突出部、３ａ  光軸方向ガイドスロット、３ｂ  係合ピン
４  単焦点レンズ
５  被写体枠、５ｃ  湾曲スロット、５ｄ  光軸方向ガイドスロット
６  レンズ支持体、６ａ  係合ピン
７  回動筒、７ａ  斜め直線溝、７ｂ  係合ピン
８  蓋、８ａ  撮影窓
９  被写体
１０  照明灯
１１  ねじ付きボス
１２  カメラボディ
１３  撮像デバイス
１４  モニタ装置
１５  接続用ケーブル
【図１】
2005031585.tif 000003
【図２】
2005031585.tif 000004
【図３】
2005031585.tif 000005
【図４】
2005031585.tif 000006
【図５（ａ）】
2005031585.tif 000007
【図５（ｂ）】
2005031585.tif 000008
【図５（ｃ）】
2005031585.tif 000009
【図６】
2005031585.tif 000010
【図７】
2005031585.tif 000011